(57)【要約】  【課題】  ネットワークに接続された装置から受信する圧縮された映像信号に伸長処理を行ない、自身に接続された表示装置へ出力する撮像装置及び映像表示方法を提供する。  【解決手段】  ビデオカメラ１から圧縮映像信号を要求されたコンピュータ３の制御部３０は、要求された圧縮映像信号を通信ネットワークＮを介してビデオカメラ１へ送信し、圧縮映像信号を受信したビデオカメラ１の制御部１０は、順次受信する圧縮映像信号に伸長処理を行ない、更にＨＤＴＶモニタ装置２用のビデオ信号に変換した後、ＨＤＴＶモニタ装置２へ送信する。ＨＤＴＶモニタ装置２は、ビデオカメラ１から順次出力されてくる映像信号に基づく映像を順次表示する。【選択図】      図１
2006086764.tif 000002
【特許請求の範囲】
【請求項１】
撮像部と、外部の表示装置との接続を行なう接続部と、前記撮像部が撮像して得られた映像信号に圧縮処理を行なって圧縮映像信号を生成する圧縮手段と、圧縮映像信号に伸長処理を行なう伸長手段と、該伸長手段が伸長処理を行なって得られた映像信号を前記接続部から出力する出力手段とを備える撮像装置において、
ネットワークとの接続を行なうネットワーク接続部と、
該ネットワーク接続部を介して圧縮映像信号を順次受信する受信手段とを備え、
前記伸長手段は、前記受信手段が受信する圧縮映像信号に伸長処理を順次行なうように構成してあり、
前記出力手段は、前記伸長手段が伸長処理を行なって得られた映像信号を順次出力するように構成してあることを特徴とする撮像装置。
【請求項２】
前記ネットワーク接続部を通じて外部に圧縮映像信号を要求する手段を備え、
前記受信手段は、要求した圧縮映像信号を受信するように構成してあることを特徴とする請求項１に記載の撮像装置。
【請求項３】
前記圧縮手段及び前記伸長手段は、モーションＪＰＥＧ規格に従った圧縮処理及び伸長処理を行なうように構成してあることを特徴とする請求項１又は２に記載の撮像装置。
【請求項４】
圧縮映像信号を記憶する通信装置が、請求項１乃至３のいずれかひとつに記載の撮像装置のネットワーク接続部にネットワークを介して接続してあり、該撮像装置の接続部に接続してある表示装置で圧縮映像信号に係る映像を表示する映像表示方法であって、
前記通信装置は、
圧縮映像信号を前記撮像装置へ順次送信し、
前記撮像装置は、
受信した圧縮映像信号に伸長処理を順次行ない、
伸長処理により得られた映像信号を前記表示装置へ順次出力し、
前記表示装置は、
出力されてきた映像信号に基づく映像を順次表示することを特徴とする映像表示方法。
【請求項５】
前記撮像装置は、
前記ネットワーク接続部を通じて前記通信装置に圧縮映像信号を要求し、
前記通信装置は、
要求された圧縮映像信号を前記撮像装置へ順次送信することを特徴とする請求項４に記載の映像表示方法。
【請求項６】
前記撮像装置は、
前記通信装置が記憶している圧縮映像信号のそれぞれを選択することが可能な映像情報を前記通信装置に要求し、
前記通信装置は、
要求された前記映像情報を前記撮像装置へ送信し、
前記撮像装置は、
受信した前記映像情報に従って圧縮映像信号の選択を受け付け、
選択を受け付けた圧縮映像信号を前記通信装置に要求することを特徴とする請求項５に記載の映像表示方法。
【発明の詳細な説明】
【技術分野】
【０００１】
本発明は、撮像した映像信号に圧縮処理を行なって圧縮映像信号を生成すると共に圧縮映像信号に伸長処理を行なって生成した映像信号を外部の表示装置へ出力する撮像装置、該撮像装置がネットワークを介して接続された通信装置から受信した圧縮映像信号に伸長処理を行なって前記表示装置へ出力し、前記表示装置で表示する映像表示方法に関するものである。
【背景技術】
【０００２】
静止画及び動画等を撮影して得られた画像を記録媒体に記録できるデジタルビデオカメラが普及しており、デジタルビデオカメラで撮影した画像を自身のモニタで再生させることができる。また、デジタルビデオカメラは、テレビジョン装置及びディスプレイ装置等の表示装置とケーブルを介して接続できるように構成されており、撮影した画像を表示装置へ転送して表示装置で再生させることができる（例えば、特許文献１参照）。
【０００３】
このようなデジタルビデオカメラは、記録媒体に記録される画像のデータ量を削減するために、得られた画像を圧縮した上で記録するように構成されている。近年では、画質を維持しつつ得られた画像を圧縮するために、モーションＪＰＥＧ（Motion Joint Photographic Expert Group）規格に従った圧縮処理によって圧縮する機能を搭載したデジタルビデオカメラが普及しており、記録媒体から圧縮された画像を読み出して伸長処理を行なうことにより、自身のモニタ又はケーブルを介して接続された表示装置で再生させることができる。
【０００４】
一方、高画質であるハイビジョン方式の映像信号を受信してモニタ装置に表示させることが可能なハイビジョンテレビ（以下、ＨＤＴＶ：High Definition Televisionという）が普及している。従って、上述したようなデジタルビデオカメラに、ＨＤＴＶモニタ装置との接続が可能な接続端子を設けることにより、モーションＪＰＥＧ規格に従った圧縮処理によって圧縮されて記憶された圧縮映像信号を記録媒体から読み出し、伸長処理を行なった上で前記接続端子を介してＨＤＴＶモニタ装置へ出力して高画質の映像信号をＨＤＴＶモニタ装置で再生させることができる。
【特許文献１】特開平６−１１３１８１号公報
【発明の開示】
【発明が解決しようとする課題】
【０００５】
一方、近年では、テレビジョン放送に係る放送波を受信して放送信号（映像及び音声）を取得するチューナを内蔵された又は外付けが可能なパーソナルコンピュータ（以下、コンピュータという）が普及している。このようなコンピュータのユーザは、チューナで取得した放送信号を、コンピュータのハードディスク装置（以下、ＨＤＤ：Hard Disk Drive という）に記憶させ、必要なときにＨＤＤから放送信号を読み出して、コンピュータに接続されたモニタ装置で再生させることができる。
【０００６】
ここで、コンピュータは、上述したように高画質の映像信号の表示が可能なＨＤＴＶモニタ装置との接続が可能に構成されていない場合が多く、コンピュータのＨＤＤに記憶してある映像信号を直接的にＨＤＴＶモニタ装置へ送信することは困難であるという問題がある。従って、例えばハイビジョン方式の放送信号をコンピュータのＨＤＤに記憶してある場合であっても、この放送信号をコンピュータに接続されたモニタ装置以外の、例えばＨＤＴＶモニタ装置で表示させることが困難であり、ＨＤＴＶモニタ装置を有効に利用することができない。
【０００７】
よって、コンピュータのＨＤＤに記録してある放送信号を例えばデジタルビデオカメラに着脱可能な外部記録媒体に一旦記憶させてデジタルビデオカメラに装着させることにより、デジタルビデオカメラを介して、コンピュータのＨＤＤに記録してある放送信号をＨＤＴＶモニタ装置で再生させることができるが、コンピュータのＨＤＤに記憶してある放送信号を外部記録媒体に記録させる記録時間を要するため、ＨＤＤに記憶させた放送信号を再生するまでに不要な時間が必要であるという問題がある。
【０００８】
本発明は斯かる事情に鑑みてなされたものであり、その目的とするところは、ネットワークを介して順次入力されてくる圧縮映像信号に伸長処理を順次行ない、生成された映像信号を外部の表示装置へ出力することにより、コンピュータが記憶する圧縮映像信号を一旦外部記録媒体に記録させる必要がなく、再生処理を早期に開始することが可能な撮像装置及び映像表示方法を提供することにある。
【課題を解決するための手段】
【０００９】
本発明に係る撮像装置は、撮像部と、外部の表示装置との接続を行なう接続部と、前記撮像部が撮像して得られた映像信号に圧縮処理を行なって圧縮映像信号を生成する圧縮手段と、圧縮映像信号に伸長処理を行なう伸長手段と、該伸長手段が伸長処理を行なって得られた映像信号を前記接続部から出力する出力手段とを備える撮像装置において、ネットワークとの接続を行なうネットワーク接続部と、該ネットワーク接続部を介して圧縮映像信号を順次受信する受信手段とを備え、前記伸長手段は、前記受信手段が受信する圧縮映像信号に伸長処理を順次行なうように構成してあり、前記出力手段は、前記伸長手段が伸長処理を行なって得られた映像信号を順次出力するように構成してあることを特徴とする。
【００１０】
本発明によれば、撮像して得られた映像信号に圧縮処理を行なって圧縮映像信号を生成すると共に、圧縮映像信号に伸長処理を行なって得られた映像信号を外部の表示装置との接続を行なう接続部から出力する撮像装置が、ネットワークとの接続を行なうネットワーク接続部を介して圧縮映像信号を受信する場合、順次受信する圧縮映像信号に伸長処理を順次行ない、得られた映像信号を接続部から外部の表示装置へ順次出力する。よって、撮像して得られた映像信号に圧縮処理を行なうと共に、得られた圧縮映像信号に伸長処理を行なうだけでなく、ネットワークを介して受信した圧縮映像信号にも伸長処理を行なって外部の表示装置へ出力することが可能である。
【００１１】
本発明に係る撮像装置は、前記ネットワーク接続部を通じて外部に圧縮映像信号を要求する手段を備え、前記受信手段は、要求した圧縮映像信号を受信するように構成してあることを特徴とする。
【００１２】
本発明によれば、ネットワークに接続された撮像装置が、ネットワーク接続部を通じて外部に圧縮映像信号を要求し、要求した圧縮映像信号を受信することにより、例えばネットワークに接続された通信装置を操作することなく、撮像装置が前記通信装置から圧縮映像信号を受信することが可能となる。
【００１３】
本発明に係る撮像装置は、前記圧縮手段及び前記伸長手段は、モーションＪＰＥＧ規格に従った圧縮処理及び伸長処理を行なうように構成してあることを特徴とする。
【００１４】
本発明によれば、圧縮手段及び伸長手段が、モーションＪＰＥＧ規格に従った圧縮処理及び伸長処理をそれぞれ行なうことにより、高画質の映像信号を取り扱うことが可能となり、撮像した画像に画質を維持した圧縮処理を行ない、このように画質を維持して圧縮された圧縮映像信号に伸長処理を行なうことが可能となる。
【００１５】
本発明に係る映像表示方法は、圧縮映像信号を記憶する通信装置が、上述の発明のいずれかひとつに記載の撮像装置のネットワーク接続部にネットワークを介して接続してあり、該撮像装置の接続部に接続してある表示装置で圧縮映像信号に係る映像を表示する映像表示方法であって、前記通信装置は、圧縮映像信号を前記撮像装置へ順次送信し、前記撮像装置は、受信した圧縮映像信号に伸長処理を順次行ない、伸長処理により得られた映像信号を前記表示装置へ順次出力し、前記表示装置は、出力されてきた映像信号に基づく映像を順次表示することを特徴とする。
【００１６】
本発明によれば、ネットワークに接続された撮像装置が、前記ネットワークに接続された通信装置から圧縮映像信号を順次受信し、受信した圧縮映像信号に伸長処理を順次行ない、伸長処理を行なって得られた映像信号を表示装置へ順次出力する。また、表示装置は、撮像装置から出力された映像信号に基づく映像を順次表示する。よって、撮像装置が通信装置から出力される圧縮映像信号に順次伸長処理を行ないつつ、表示装置が取得した映像信号に基づく映像を表示することにより、通信装置に記憶してある圧縮映像信号を撮像装置を介して表示装置で再生させるストリーミング再生処理を行なうことが可能となる。
【００１７】
本発明に係る映像表示方法は、前記撮像装置は、前記ネットワーク接続部を通じて前記通信装置に圧縮映像信号を要求し、前記通信装置は、要求された圧縮映像信号を前記撮像装置へ順次送信することを特徴とする。
【００１８】
本発明によれば、撮像装置がネットワーク接続部を通じて通信装置に圧縮映像信号を要求し、通信装置が要求された圧縮映像信号を前記撮像装置へ順次送信することにより、撮像装置は、要求した圧縮映像信号をネットワークを介して順次受信することが可能となる。
【００１９】
本発明に係る映像表示方法は、前記撮像装置は、前記通信装置が記憶している圧縮映像信号のそれぞれを選択することが可能な映像情報を前記通信装置に要求し、前記通信装置は、要求された前記映像情報を前記撮像装置へ送信し、前記撮像装置は、受信した前記映像情報に従って圧縮映像信号の選択を受け付け、選択を受け付けた圧縮映像信号を前記通信装置に要求することを特徴とする。
【００２０】
本発明によれば、撮像装置が通信装置に記憶してある圧縮映像信号のそれぞれを選択することが可能な映像情報を通信装置に要求した場合、通信装置が要求された映像信号を撮像装置へ送信する。また、撮像装置は、受信した前記映像信号に従って圧縮映像信号の選択を受け付け、選択を受け付けた圧縮映像信号を通信装置に要求することにより、通信装置から圧縮映像信号を受信することが可能となる。
【発明の効果】
【００２１】
本発明では、撮像して得られた映像信号に圧縮処理を行なって圧縮映像信号を生成すると共に、圧縮映像信号に伸長処理を行なって得られた映像信号を外部の表示装置へ出力する撮像装置が、ネットワークに接続され、ネットワークを介して圧縮映像信号を受信する場合、順次受信する圧縮映像信号に伸長処理を順次行ない、得られた映像信号を外部の表示装置へ順次出力する。これにより、撮像して得られた映像信号に圧縮処理を行なって得られた圧縮映像信号だけでなく、ネットワークを介して受信する圧縮映像信号にも伸長処理を行なって外部の表示装置へ出力することができる。よって、ネットワークに接続された外部装置が記憶する圧縮映像信号を記録媒体に一旦記録させる必要がなく、ネットワークを介して受信する都度、伸長処理を行なって表示装置へ出力することにより、再生処理を早期に開始することができる。
【００２２】
本発明では、ネットワークに接続された撮像装置が、ネットワークを介して外部に圧縮映像信号を要求し、要求した圧縮映像信号を受信する。これにより、例えばネットワークに接続された通信装置を操作することなく、撮像装置が前記通信装置から圧縮映像信号を受信することができ、撮像装置のユーザは、ネットワークに接続された通信装置を、撮像装置に対する外部記憶装置として取り扱うことができる。
【００２３】
本発明では、撮像装置を映像信号にモーションＪＰＥＧ規格に従った圧縮処理又は伸長処理を行なうように構成することにより、高画質の映像信号を取り扱うことができ、撮像した画像に画質を維持した圧縮処理を行ない、このように画質を維持して圧縮された圧縮映像信号に伸長処理を行なうことができる。
【００２４】
本発明では、ネットワークに接続された撮像装置が、前記ネットワークに接続された通信装置から圧縮映像信号を順次受信し、受信した圧縮映像信号に伸長処理を順次行ない、伸長処理を行なって得られた映像信号を表示装置へ順次出力する。また、表示装置は、撮像装置から出力された映像信号に基づく映像を順次表示する。これにより、撮像装置が、通信装置から順次出力される圧縮映像信号に順次伸長処理を行ないつつ、表示装置が撮像装置から取得した映像信号に基づく映像を表示することにより、通信装置に記憶してある圧縮映像信号を撮像装置を介して表示装置で再生させるストリーミング再生処理を行なうことができる。
【００２５】
また、撮像装置がネットワークを介して通信装置に圧縮映像信号を要求し、通信装置が要求された圧縮映像信号を前記撮像装置へ順次送信することにより、撮像装置は、要求した圧縮映像信号をネットワークを介して順次受信することができる。更に、撮像装置が通信装置に記憶してある圧縮映像信号のそれぞれを選択することが可能な映像情報を通信装置に要求した場合、通信装置が要求された映像情報を撮像装置へ送信する。また、撮像装置は、受信した映像情報に従って圧縮映像信号の選択を受け付け、選択を受け付けた圧縮映像信号を通信装置に要求することにより、通信装置から圧縮映像信号を受信することができる。よって、撮像装置のユーザは、ネットワークに接続された通信装置を、撮像装置に対する外部記憶装置として取り扱うことができる。
【発明を実施するための最良の形態】
【００２６】
以下に、本発明をその実施形態であるデジタルビデオカメラを示す図面に基づいて詳述する。図１は本発明に係る撮像装置としてのデジタルビデオカメラ（以下、ビデオカメラという）の構成例を示す模式図である。本実施形態に係るビデオカメラ１は、制御部１０、ＲＯＭ１１、ＲＡＭ１２、操作部１３、表示部１４、信号処理部１６、画像圧縮伸長部１７、再生処理部１８、モニタ接続部１９、記録装置接続部２０、通信インタフェース２１等を備えており、それぞれはシステムバス１ａを介して相互に接続されている。
【００２７】
制御部１０は、図示しない時計手段を有するＣＰＵ（Central Processing Unit ）又はＭＰＵ（Micro Processor Unit）等により構成されており、システムバス１ａを介して接続される上述したようなハードウェア各部を制御すると共に、ＲＯＭ１１に予め格納されている制御プログラムに従って種々の動作を実行する。ＲＯＭ１１は、ビデオカメラ１を本発明に係る撮像装置として動作させるために必要な種々の制御プログラムを予め記憶している。ＲＡＭ１２は、ＳＲＡＭ又はフラッシュメモリ等で構成され、制御部１０による制御プログラムの実行時に発生するデータを一時的に記憶する。
【００２８】
操作部１３は、ビデオカメラ１をユーザが操作するために必要な各種のキーを備えており、ユーザにより各キーが操作された場合、操作されたキーに対応した制御信号を制御部１０へ送出し、制御部１０は取得した制御信号に対応した処理を実行する。表示部１４は、例えば液晶ディスプレイにより構成されており、ビデオカメラ１の動作状況、ユーザに通知すべき情報、信号処理部１６により所定の信号処理が実行された映像信号等の表示を行なう。
【００２９】
信号処理部１６には撮像部１５が接続されている。撮像部１５は、ＣＣＤを介して入力された光信号を光電変換することによりアナログの映像信号を生成して信号処理部１６へ出力する。信号処理部１６は、ＡＤＣ（アナログ・デジタル・コンバータ）１６ａを有しており、撮像部１５から入力されたアナログの映像信号をＡＤＣ１６ａにより所定の増幅率で増幅し、増幅された映像信号を一定のタイミング毎にサンプリングし、サンプリング処理により得られた各値をデジタル信号に変換し、得られたデジタルの映像信号を表示部１４、画像圧縮伸長部１７又は再生処理部１８へ出力する。
【００３０】
画像圧縮伸長部（圧縮手段）１７は、例えばモーションＪＰＥＧ規格に基づく符号化処理（圧縮処理）及び復号処理（伸長処理）を行なうコーデックであり、信号処理部１６によりデジタル化された映像信号に所定の圧縮処理を実行することにより圧縮映像信号を生成する。なお、画像圧縮伸長部１７は、自身に接続されたメモリ１７ａを圧縮処理及び伸長処理の際のバッファとして利用し、圧縮処理中に発生する各種のデータ等をメモリ１７ａに記憶させる。画像圧縮伸長部１７により圧縮処理が施された圧縮映像信号は、制御部１０の制御に従って、記録装置接続部２０又は通信インタフェース２１へ出力される。
【００３１】
また、画像圧縮伸長部（伸長手段）１７は、例えば、記録装置接続部２０を介して記録装置２０ａから読み出された圧縮映像信号、又は通信インタフェース２１を介して受信した圧縮映像信号に所定の伸長処理（具体的には、モーションＪＰＥＧ規格に基づく復号処理）を実行することにより映像信号を生成し、生成した映像信号を表示部１４又は再生処理部１８へ出力する。
【００３２】
記録装置接続部２０は、例えばメモリカード、磁気媒体、光磁気媒体又は半導体メモリ等により構成される記録装置２０ａの着脱が可能な接続インタフェースであり、画像圧縮伸長部１７により所定の圧縮処理が行なわれて生成された圧縮映像信号をそれぞれファイル単位で記録装置２０ａに記憶させる。また、記録装置接続部２０は、制御部１０の制御に従って、記録装置２０ａに記録してある圧縮映像信号を読み出し、画像圧縮伸長部１７又は通信インタフェース２１へ出力する。
【００３３】
再生処理部１８は、ビデオエンコーダ１８ａ及びＤＡＣ（デジタル・アナログ・コンバータ）１８ｂ等を有しており、撮像部１５が撮像して信号処理部１６によって所定の信号処理が施された映像信号、画像圧縮伸長部１７によって圧縮映像信号に伸長処理が施されて生成された映像信号を、ビデオエンコーダ１８ａによってＨＤＴＶモニタ装置２で採用されている規格に従ったビデオ信号に変換し、更にＤＡＣ１８ｂによってアナログ化してモニタ接続部１９へ出力する。
【００３４】
モニタ接続部（出力手段）１９は、外部のＨＤＴＶモニタ装置２との接続を行なう出力端子（接続部）１９ａに接続されており、再生処理部１８から入力されたＨＤＴＶ方式のビデオ信号を接続端子１９ａを介してＨＤＴＶモニタ装置２へ出力する。なお、ＨＤＴＶモニタ装置２は、例えば液晶ディスプレイにより構成されており、出力端子１９ａを介してビデオカメラ１から順次出力されてくるＨＤＴＶ方式のビデオ信号に係る映像を表示させることにより、コンピュータ３のＨＤＤ３１に記憶してある映像信号のストリーミング再生処理を行なうことができる。また、出力端子１９ａは、高画質であるＨＤＴＶ方式のビデオ信号の送受が可能なＤ４規格に従った端子である。
【００３５】
通信インタフェース２１は、ＬＡＮ（Local Area Network）等の通信ネットワークＮとの接続を行なうネットワーク接続部であり、通信ネットワークＮを介してコンピュータ（通信装置）３との間でのデータ送受信を行なう。制御部１０は、通信インタフェース２１を介してコンピュータ３から圧縮映像信号を受信する受信手段として動作しており、受信した圧縮映像信号を画像圧縮伸長部１７へ入力する。なお、通信インタフェース２１をＵＳＢ（Universal Serial Bus）ケーブルを介してコンピュータ３に接続できるように構成することもできるが、上述のようにビデオカメラ１をＬＡＮに接続できるように構成した場合には、複数のコンピュータ間においてビデオカメラ１を共有することができる。
【００３６】
一方、コンピュータ３は、制御部３０、ＨＤＤ３１、ＲＡＭ３２、通信ネットワークＮを介してビデオカメラ１と接続するための通信インタフェース３３等を備えており、それぞれはシステムバス３ａを介して相互に接続されている。なお、ビデオカメラ１の通信インタフェース２１がＵＳＢケーブルとの接続が可能に構成されている場合には、通信インタフェース３３もＵＳＢケーブルとの接続を可能に構成する。
【００３７】
制御部３０は、時計手段（図示せず）を有するＣＰＵ等により構成されており、システムバス３ａを介して接続される上述したようなハードウェア各部を制御すると共に、ＨＤＤ３１に予め格納されている制御プログラムに従って種々の動作を実行する。ＨＤＤ３１は、コンピュータ３を動作させるために必要な種々の制御プログラムを予め記憶している。ＲＡＭ３２は、ＳＲＡＭ又はフラッシュメモリ等で構成され、制御部３０による制御プログラムの実行時に発生するデータを一時的に記憶する。
【００３８】
また、コンピュータ３は、通信ネットワークＮを介してビデオカメラ１又は他のコンピュータ等から受信した映像信号、図示しないチューナによってテレビジョン放送波に基づいて受信した放送信号等を取得し、それぞれにファイル名を付けてファイル単位でＨＤＤ３１に記憶している。なお、ＨＤＤ３１には、各種の映像信号及び放送信号がモーションＪＰＥＧ圧縮されて記憶してある。
【００３９】
上述した構成によって、ビデオカメラ１は、撮像部１５によって１秒当たり例えば３０枚の静止画像信号を取得し、順次信号処理部１６によって所定の信号処理を実行することによってデジタルの映像信号を生成する撮影機能、生成した映像信号を自身の表示部１４又は外部のＨＤＴＶモニタ装置２で表示する表示機能を有する。
【００４０】
また、ビデオカメラ１は、例えばユーザが操作部１３の録画ボタン（図示せず）を操作した場合に、ユーザにより録画停止ボタン（図示せず）が操作されるまでの間に、撮像部１５によって取得されて信号処理部１６によって所定の信号処理を施された映像信号に画像圧縮伸長部１７によって所定の圧縮処理を実行し、得られた圧縮映像信号を記録装置接続部２０を介して記録装置２０ａに蓄積する蓄積機能、得られた圧縮映像信号を通信インタフェース２１を介して外部のコンピュータへ送信する送信機能を有する。
【００４１】
更に、ビデオカメラ１は、記録装置２０ａに記憶してある圧縮映像信号、及び通信インタフェース２１を介してコンピュータ３から受信した圧縮映像信号に画像圧縮伸長部１７によって所定の伸長処理を実行し、得られた映像信号を表示部１４又は外部のＨＤＴＶモニタ装置２で表示する再生機能を有する。
【００４２】
ここで、ビデオカメラ１の制御部１０は、通信ネットワークＮを介してコンピュータ３から圧縮映像信号を受信する場合、コンピュータ３のＨＤＤ３１に記憶してある圧縮映像信号のそれぞれを示すファイル名（映像情報）をコンピュータ３に要求する。コンピュータ３の制御部３０は、要求されたファイル名をＨＤＤ３１から読み出し、通信ネットワークＮを介してビデオカメラ１へ送信し、このようなファイル名を受信したビデオカメラ１の制御部１０は、受信した各ファイル名に基づいて図２に示すような画面を、例えば表示部１４に表示させる。
【００４３】
図２はビデオカメラ１に表示される表示画面例を示す模式図である。図２には、コンピュータ３のＨＤＤ３１に記憶してある圧縮映像信号のそれぞれを示すファイル名が表示されており、ビデオカメラ１のユーザは、操作部１３の上下ボタン（図示せず）を用いて、再生させたい圧縮映像信号を選択する。また、ユーザが、このような表示画面に従って所望の圧縮映像信号を選択して再生ボタン（図示せず）を操作した場合、ビデオカメラ１の制御部１０は、圧縮映像信号の選択を受け付け、選択された圧縮映像信号を通信ネットワークＮを介してコンピュータ３に要求する。
【００４４】
更に、コンピュータ３の制御部３０は、ビデオカメラ１から圧縮映像信号を要求された場合、対応する圧縮映像信号をＨＤＤ３１から読み出して、通信インタフェース３３からビデオカメラ１へ送信する。これにより、ビデオカメラ１は、通信ネットワークＮを介してコンピュータ３から圧縮映像信号を受信することができ、順次受信する圧縮映像信号に画像圧縮伸長部１７によって所定の伸長処理を行ない、得られた映像信号を表示部１４又は外部のＨＤＴＶモニタ装置２で表示させることができる。
【００４５】
ここで、ＨＤＴＶモニタ装置２で再生させた場合には、コンピュータ３のＨＤＤ３１に記憶してある高画質の映像信号を、ＨＤＴＶモニタ装置２で高画質に再生させることができ、ＨＤＴＶモニタ装置２を有効に利用することができる。なお、図２に示すような表示画面は、記録装置接続部２０に装着された記録装置２０ａに記憶してある圧縮映像信号を示すファイル名を表示してもよく、通信ネットワークＮを介してコンピュータ３以外のコンピュータが接続されている場合、他のコンピュータが記憶する圧縮映像信号のファイル名を表示してもよい。
【００４６】
以下に、上述した構成のビデオカメラ１によって撮像された映像信号をコンピュータ３に記録させる処理について説明する。図３は本発明に係るビデオカメラ１による撮像処理の手順を示すフローチャートである。なお、以下の処理は、ビデオカメラ１のＲＯＭ１１に記憶してある制御プログラムに従って制御部１０が実行すると共に、コンピュータ３のＨＤＤ３１に記憶してある制御プログラムに従って制御部３０が実行する。
【００４７】
ビデオカメラ１において、例えばユーザが操作部１３の録画ボタンを操作することにより撮像処理の実行が指示された場合、制御部１０は、撮像部１５によって撮像してアナログの映像信号を取得し（Ｓ１）、取得したアナログの映像信号に信号処理部１６によって所定の信号処理を実行し（Ｓ２）、デジタルの映像信号を生成する。
【００４８】
次に制御部１０は、生成されたデジタルの映像信号を画像圧縮伸長部１７へ入力し、所定の圧縮処理、ここではモーションＪＰＥＧ規格に従った圧縮処理を実行し（Ｓ３）、生成した圧縮映像信号を通信インタフェース２１からコンピュータ３へ送信する（Ｓ４）。なお、ここで圧縮映像信号を記録装置２０ａに記録させる場合には、生成した圧縮映像信号を記録装置接続部２０を介して記録装置２０ａへ入力する。
【００４９】
コンピュータ３は、ビデオカメラ１から送信されてくる圧縮映像信号を通信インタフェース３３を介して取得し、順次ＨＤＤ３１に記憶させる（Ｓ５）。一方、ビデオカメラ１の制御部１０は、例えばユーザが操作部１３の録画停止ボタンを操作することにより撮像処理の終了が指示されたか否かを判断しており（Ｓ６）、終了が指示されていないと判断した場合（Ｓ６：ＮＯ）、ステップＳ１へ処理を移行し、上述したステップＳ１からＳ５までの処理を繰り返す。
【００５０】
制御部１０は、撮像処理の終了が指示されたと判断した場合（Ｓ６：ＹＥＳ）、圧縮映像信号の転送終了をコンピュータ３に通知し（Ｓ７）、コンピュータ３の制御部３０は、圧縮映像信号の転送終了の通知に従って、ビデオカメラ１から順次取得した圧縮映像信号の記憶処理を終了させる終了処理を実行し（Ｓ８）、例えば順次取得した圧縮映像信号を１つのファイルとしてＨＤＤ３１に記憶させる。また、制御部３０は、圧縮映像信号の記憶終了処理が完了した場合、その旨を示す記憶終了信号をビデオカメラ１へ送信する（Ｓ９）。
【００５１】
ビデオカメラ１の制御部１０は、コンピュータ３から記憶終了信号を取得したか否かを判断しており（Ｓ１０）、取得していないと判断した場合（Ｓ１０：ＮＯ）、ステップＳ７へ処理を移行し、記憶終了信号を取得したと判断した場合（Ｓ１０：ＹＥＳ）、上述した撮像処理を終了する。
【００５２】
このように、ビデオカメラ１で撮像して得られた映像信号を所定の圧縮処理によって圧縮した後にコンピュータ３へ送信し、コンピュータ３のＨＤＤ３１に記憶させておくことにより、ビデオカメラ１が大容量の記憶領域を有しない場合であっても、長時間の録画処理を行なうことができる。また、圧縮処理によってデータ量を減少させることにより、ビデオカメラ１とコンピュータ３との間での映像信号の転送処理負担を軽減することができる。
【００５３】
以下に、上述したように、コンピュータ３のＨＤＤ３１に記憶された圧縮映像信号の再生処理について説明する。なお、ＨＤＤ３１に記憶してある圧縮映像信号は、上述したようにビデオカメラ１によって撮像されてモーションＪＰＥＧ規格に従った圧縮処理が施された圧縮映像信号であってもよく、他のコンピュータ等においてモーションＪＰＥＧ規格に従った圧縮処理が施され、コンピュータ３が通信ネットワークＮを介して受信した圧縮映像信号であってもよい。
【００５４】
図４はコンピュータ３に記憶してある圧縮映像信号のビデオカメラ１による再生処理の手順を示すフローチャートである。なお、以下の処理は、ビデオカメラ１のＲＯＭ１１に記憶してある制御プログラムに従って制御部１０が実行すると共に、コンピュータ３のＨＤＤ３１に記憶してある制御プログラムに従って制御部３０が実行する。
【００５５】
ビデオカメラ１において、ユーザが操作部１３の所定の操作ボタンを操作することにより、コンピュータ３のＨＤＤ３１に記憶してある圧縮映像信号の再生処理を要求した場合、制御部１０は、通信ネットワークＮを介して接続してあるコンピュータ３に、ＨＤＤ３１に記憶してある圧縮映像信号を示すファイル名を要求する（Ｓ１１）。ビデオカメラ１からファイル名を要求されたコンピュータ３の制御部３０は、ＨＤＤ３１に記憶してある圧縮映像信号のそれぞれを示すファイル名を読み出してビデオカメラ１へ送信する（Ｓ１２）。
【００５６】
ビデオカメラ１の制御部１０は、コンピュータ３から受信したファイル名に基づいて、図２に示すようなメニュー画像を作成して表示部１４に表示させ（Ｓ１３）、例えばユーザが操作部１３の再生ボタン（図示せず）を操作することにより、ＨＤＴＶモニタ装置２で再生させたい圧縮映像信号の選択を受け付けたか否かを判断する（Ｓ１４）。制御部１０は、圧縮映像信号の選択を受け付けたと判断しない場合（Ｓ１４：ＮＯ）、メニュー画像の表示を続行し（Ｓ１３）、圧縮映像信号の選択を受け付けたと判断した場合（Ｓ１４：ＹＥＳ）、選択された圧縮映像信号をコンピュータ３に要求する（Ｓ１５）。
【００５７】
ビデオカメラ１から圧縮映像信号を要求されたコンピュータ３の制御部３０は、対応する圧縮映像信号をＨＤＤ３１から読み出して通信インタフェース３３を介してビデオカメラ１へ送信する（Ｓ１６）。コンピュータ３から送信された圧縮映像信号を受信するビデオカメラ１の制御部１０は、画像圧縮伸長部１７によって所定の伸長処理、ここではモーションＪＰＥＧ規格に従った伸長処理を順次実行し（Ｓ１７）、生成した映像信号を再生処理部１８へ順次入力する。
【００５８】
そして、制御部１０は、再生処理部１８のビデオエンコーダ１８ａによって、画像圧縮伸長部１７が伸長処理を施した映像信号をＨＤＴＶモニタ装置２で採用されている規格に従ったビデオ信号に順次変換し、更にＤＡＣ１８ｂによってアナログのビデオ信号に変換して（Ｓ１８）モニタ接続部１９へ出力する。モニタ接続部１９は、再生処理部１８から順次出力されてくるビデオ信号を出力端子１９ａからＨＤＴＶモニタ装置２へ送出し（Ｓ１９）、ＨＤＴＶモニタ装置２はビデオカメラ１から取得するビデオ信号に基づく映像を順次表示させる（Ｓ２０）。
【００５９】
一方、ビデオカメラ１の制御部１０は、例えばユーザが操作部１３の再生停止ボタン（図示せず）を操作することにより再生処理の終了が指示されたか否かを判断しており（Ｓ２１）、終了が指示されていないと判断した場合（Ｓ２１：ＮＯ）、ステップＳ１５へ処理を移行し、上述したステップＳ１５からＳ２０までの処理を繰り返す。制御部１０は、再生処理の終了が指示されたと判断した場合（Ｓ２１：ＹＥＳ）、ＨＤＴＶモニタ装置２に再生処理の終了を指示して（Ｓ２２）、自身における上述した処理を終了し、再生処理の終了が指示されたＨＤＴＶモニタ装置２は、ビデオカメラ１からのビデオ信号の転送終了と共に、映像の表示を終了する（Ｓ２３）。
【００６０】
このように、モーションＪＰＥＧ規格に従った圧縮処理が施された圧縮映像信号をコンピュータ３から取得したビデオカメラ１が、自身の装置内で伸長処理を行なった後にＨＤＴＶモニタ装置２へ送出し、ＨＤＴＶモニタ装置２で表示させることにより、コンピュータ３とＨＤＴＶモニタ装置２とが直接的には接続できない場合であっても、コンピュータ３のＨＤＤ３１に記憶してある圧縮映像信号をビデオカメラ１を介してＨＤＴＶモニタ装置２で再生させることができる。
【００６１】
また、コンピュータ３のＨＤＤ３１から読み出された圧縮映像信号が、順次ビデオカメラ１へ入力されて所定の伸長処理及びビデオ信号への変換処理を行なわれることにより、ビデオカメラ１において圧縮映像信号を一旦記憶させておく必要がない。これにより、ビデオカメラ１に大容量の記録装置を備える必要がなく、圧縮映像信号の複写処理（記憶処理）に要する時間が不要となり、再生処理を早期に開始することが可能となる。
【図面の簡単な説明】
【００６２】
【図１】本発明に係るデジタルビデオカメラの構成例を示す模式図である。
【図２】ビデオカメラの表示画面例を示す模式図である。
【図３】ビデオカメラによる撮像処理の手順を示すフローチャートである。
【図４】ビデオカメラによる再生処理の手順を示すフローチャートである。
【符号の説明】
【００６３】
１  デジタルビデオカメラ（撮像装置）
１０  制御部（受信手段）
１５  撮像部
１７  画像圧縮伸長部（圧縮手段、伸長手段）
１９  モニタ接続部（出力手段）
１９ａ  出力端子（接続部）
２１  通信インタフェース（ネットワーク接続部）
２  ＨＤＴＶモニタ装置（表示装置）
３  コンピュータ（通信装置）
Ｎ  通信ネットワーク
【図１】
2006086764.tif 000003
【図２】
2006086764.tif 000004
【図３】
2006086764.tif 000005
【図４】
2006086764.tif 000006